Podtech/llm-jp-corpus-v4-ja_patent huggingface dataset:
(57)【要約】      （修正有）【課題】音響効果を良くできる音響装置を提供する。【解決手段】情報取得手段１１からの所定位置への方向を示す情報に基づいて音制御手段１５がスピーカ１２〜１３からの音の音量及び音の遅延時間をそれぞれ別々に制御するので、所定位置における音響効果が良くなる。【選択図】図１
2009177696.tif 000002
【特許請求の範囲】
【請求項１】
音響装置において、
音響効果を最適にされるべき所定位置への方向を示す情報を取得する情報取得手段と、
第一スピーカと、
第二スピーカと、
前記情報に基づき、前記第一スピーカ及び前記第二スピーカからそれぞれ別々に再生される音における音量及び音の遅延時間をそれぞれ別々に制御する音制御手段と、
を備えることを特徴とする音響装置。
【請求項２】
前記情報取得手段は、前記所定位置への方向と前記所定位置までの距離とを示す前記情報を取得することを特徴とする請求項１記載の音響装置。
【請求項３】
前記情報取得手段は、光センサを有し、前記所定位置からの可視光を受光することにより、前記情報を取得することを特徴とする請求項１記載の音響装置。
【請求項４】
前記情報取得手段は、光センサを有し、前記所定位置からの赤外光を受光することにより、前記情報を取得することを特徴とする請求項１記載の音響装置。
【請求項５】
前記情報取得手段は、受信装置を有し、前記所定位置から発信された信号を受信することにより、前記情報を取得することを特徴とする請求項１記載の音響装置。
【請求項６】
前記情報に基づき、前記第一スピーカ及び前記第二スピーカの方向をそれぞれ別々に制御する方向制御手段と、
をさらに備えることを特徴とする請求項１記載の音響装置。
【発明の詳細な説明】
【技術分野】
【０００１】
本発明は、音響装置に関する。
【背景技術】
【０００２】
現在、テレビジョン受像装置やオーディオ再生装置は、高性能製品になると、音響効果を持って聴者に臨場感を感じさせる音を再生している。上記の装置は音響装置を有し、音響装置は右端及び左端に２個のスピーカを有している。また、上記の装置は、聴者の前に固定されて配置されている。２個のスピーカが異なる音を再生することにより、臨場感を持つ音が再生されている（例えば、特許文献１参照）。
【特許文献１】特開平０４−２５０８００号公報
【発明の開示】
【発明が解決しようとする課題】
【０００３】
しかし、音響装置は固定されて配置されるが、聴者は移動する可能性があるので、音響装置が配置された位置と聴者が存在する位置との相関関係により、聴者の聴感が変化してしまう。よって、上記の相関関係により、聴者の位置における音響効果が悪くなってしまう可能性がある。
【０００４】
本発明は、上記課題に鑑みてなされ、音響効果を良くできる音響装置を提供する。
【課題を解決するための手段】
【０００５】
本発明は、上記課題を解決するため、音響装置において、音響効果を最適にされるべき所定位置への方向を示す情報を取得する情報取得手段と、第一スピーカと、第二スピーカと、前記情報に基づき、前記第一スピーカ及び前記第二スピーカからそれぞれ別々に再生される音における音量及び音の遅延時間をそれぞれ別々に制御する音制御手段と、を備えることを特徴とする音響装置を提供する。
【発明の効果】
【０００６】
本発明では、情報取得手段からの所定位置への方向を示す情報に基づいて音制御手段が第一スピーカ及び第二スピーカからの音の音量及び音の遅延時間をそれぞれ別々に制御するので、所定位置における音響効果が良くなる。
【発明を実施するための最良の形態】
【０００７】
以下、本発明の実施形態を、図面を参照して説明する。
【０００８】
まず、音響装置の構成について説明する。図１は、音響装置を示す図である。
【０００９】
音響装置１０は、テレビジョン受像装置やオーディオ再生装置などに搭載される。
【００１０】
音響装置１０は、情報取得手段１１、スピーカ１２〜１３、方向制御手段１４及び音制御手段１５を備える。情報取得手段１１は方向制御手段１４及び音制御手段１５と通信し、方向制御手段１４はスピーカ１２〜１３を制御し、音制御手段１５もスピーカ１２〜１３を制御する。
【００１１】
次に、音響装置１０の動作について説明する。
【００１２】
情報取得手段１１は、音響効果を最適にされるべき所定位置への方向を示す情報を取得する。方向制御手段１４は、情報に基づき、スピーカ１２〜１３の方向をそれぞれ別々に制御する。音制御手段１５は、情報に基づき、スピーカ１２〜１３からそれぞれ別々に再生される音における音量及び音の遅延時間をそれぞれ別々に制御する。
【００１３】
次に、情報取得手段１１について説明する。
【００１４】
［第一実施形態］
情報取得手段１１は、ラインセンサＩＣやエリアセンサＩＣの１個の光センサＩＣを有し、所定位置の聴者２０からの可視光を受光することにより、聴者２０や聴者２０の顔や聴者２０の動きを検出し、情報を取得する。
【００１５】
また、情報取得手段１１は、ラインセンサＩＣやエリアセンサＩＣの１個の光センサＩＣを有し、所定位置の聴者２０からの赤外光を受光することにより、聴者２０や聴者２０の顔や聴者２０の動きを検出し、情報を取得する。
【００１６】
なお、情報取得手段１１は、２個の光センサＩＣを有することにより、所定位置の聴者２０への方向だけでなくて所定位置の聴者２０までの距離も示す情報を取得しても良い。すると、方向制御手段１４及び音制御手段１５による制御がより正確になる。
【００１７】
［第二実施形態］
ここで、聴者２０がリモートコントローラを所持するとする。
【００１８】
情報取得手段１１は、ラインセンサＩＣやエリアセンサＩＣの１個の光センサＩＣを有し、所定位置のリモートコントローラからの赤外光を受光することにより、リモートコントローラやリモートコントローラの動きを検出し、情報を取得する。
【００１９】
なお、情報取得手段１１は、２個の光センサＩＣを有することにより、所定位置のリモートコントローラへの方向だけでなくて所定位置のリモートコントローラまでの距離も示す情報を取得しても良い。すると、方向制御手段１４及び音制御手段１５による制御がより正確になる。
【００２０】
［第三実施形態］
ここで、聴者２０が発信装置を所持するとする。この時、聴者２０は、直接的に発信装置を所持しても良いし、リモートコントローラに搭載された発信装置を所持しても良い。
【００２１】
情報取得手段１１は、１個の受信装置を有し、所定位置の発信装置から発信された信号を受信することにより、情報を取得する。
【００２２】
このようにすると、情報取得手段１１からの所定位置への方向を示す情報に基づいて音制御手段１５がスピーカ１２〜１３からの音の音量及び音の遅延時間をそれぞれ別々に制御するので、所定位置における音響効果が良くなる。
【図面の簡単な説明】
【００２３】
【図１】音響装置を示す図である。
【符号の説明】
【００２４】
１０……音響装置    １１……情報取得手段    １２〜１３……スピーカ    １４……方向制御手段    １５……音制御手段    ２０……聴者
【図１】
2009177696.tif 000003
(57)【要約】【課題】タンク内の液体を給液栓を開くことで取り出すことができる給液具付タンクを提供する。【解決手段】角型容器状のタンク（Ｔ）の上部に給液栓部（１）と空気栓部（４）を設け、タンク（Ｔ）の下部にタンク保持具（７）を装着自在に設けたことを特徴とする給液具付タンク。【選択図】図１
2009029507.tif 000002
【特許請求の範囲】
【請求項１】
角型容器状のタンクの上部に給液栓部と空気栓部を設け、タンクの下部にタンク保持具を着脱自在に設けたことを特徴とする給液具付タンク。
【発明の詳細な説明】
【技術分野】
【０００１】  本発明は、タンク内の液体を給液栓を開くことで取り出すことのできる給液具付タンクに関するものである。
【背景技術】
【０００２】  従来、タンク内の液体を取り出す方法として、ジョウロやホースポンプなどを使用していた。
ジョウロを使って取り出す方法は、重いタンクを持ち上げなければならないことや、液体がこぼれることがあった。
また、ホースポンプを使っての飲料水を取り出すことは衛生的観点から躊躇があってできなかった。
【発明が解決しようとする課題】
【０００３】  そのために、つぎのような問題点があった。
（イ）ジョウロを使って液体を移し換える方法は、重いタンクを持ち上げなければなら      ないため、子供や高齢者には困難であった。また、液体が跳ねたりジョウロからあ      ふれたりしてこぼすことがあった。
（ロ）ホースポンプ使って飲料水を取り出すことは、衛生上の観点から問題があった。
（ハ）タンクのふたに栓が付いたものでは、タンクが変わると使えないという不便があ      った。
【課題を解決するための手段】
【０００４】  角型容器状のタンク（Ｔ）の上部に給液栓部（１）と空気栓部（４）を設ける。タンク  （Ｔ）の下部にタンク保持具を（７）着脱自在に設ける。
以上を特徴とする給液具付タンクである。
【発明の効果】
【０００５】  本発明は、タンク内の液体を給液栓を開くだけで取り出すことができる。したがって、  重いタンクを持ち上げて移し換えたり、こぼれたりすることがない。また、水道の蛇口  と同じ要領で使えるので、飲料水の取り出しもできる。
また、タンク保持具を装着することでタンクに傾斜ができるため、タンク内の液体を  取り残すことがほとんどなくなる。
【発明を実施するための最良形態】
【０００６】  以下、本発明の実施形態を説明する。
（イ）給液栓部（１）を給液栓キャップ（３）の内側より取り付ける。
（ロ）空気栓部（４）を空気栓キャップ（５）の内側より取り付ける。
（ハ）着脱自在のタンク保持具（７）はタンクの大きさに応じて装着することがで      きる。
本発明は、以上の構成よりなっている。
本発明を使用するときは、給液栓部（１）の液吐出口（２）と空気栓部（４）の空気取入口（６）は反対方向に向けた状態で、キャップを締め固定する。
タンク保持具（７）は、給液栓側のタンク下方に装着する。この状態で、タンクを横置きにする。
空気栓を開き、給液栓を開けばタンク内の液体は、水道の蛇口から出る水のように取り出すことができる。
【図面の簡単な説明】
【０００７】
【図１】本発明の斜視図
【図２】本発明の給液栓部と空気栓部の縦断面図
【図３】本発明のタンク保持具の断面図と斜視図
【図４】本発明の使用状態を示す断面図
【符号の説明】
【０００８】      １  給液栓部
２  液吐出口
３  給液栓キャップ
４  空気栓部
５  空気栓キャップ
６  空気取入口
７  タンク保持具
８  引っ張りバネ
Ｔ  タンク
【図１】
2009029507.tif 000003
【図２】
2009029507.tif 000004
【図３】
2009029507.tif 000005
【図４】
2009029507.tif 000006
(57)【要約】【課題】  ペットボトルドリンクを飲時、ボトルを立てた状態で見て飲み口が水平に平らな為、下唇と上唇に接する部分が大変多く、吸引時にはペットボトル内が減圧され、スム−ズな飲用の妨げになったり、上唇が吸い込まれたりする事がある。また飲用時どうしても上唇が飲み口に触れる為、女性等の化粧品である口紅が落ちる等不便を感じる物であったが、前記を全て解決したペットボトルの飲み口を提供する。【解決手段】  飲み口の部分  １  を斜め形状にし、長い方の  ２  を下唇に当たる様に飲用する。すると上唇と  ３  の間に空間ができる。ペットボトル内のドリンクを飲用した時、ペットボトル内が減圧されるが、上記で説明した大きな空間から空気が入り、減圧される事無くスム−ズな飲用が可能となる。また飲用時本発明の飲み口に当たる部分は下唇の内側のみで、女性等の化粧品である口紅等が落ちる心配が無くなる。【選択図】図１
2009029504.tif 000002
【特許請求の範囲】
【請求項１】
飲料用ペットボトルの飲み口に於いて、飲み口の部分、平坦な上部を斜めに形成した事を、第一に特徴とするペットボトルの飲み口。
【発明の詳細な説明】
【技術分野】
【０００１】  本発明は、一般的に普及している、ペットボトル飲料水を飲用時、飲み口や飲み方に不快感を感じる事の多い物であったが、それを解消した飲料用ペットボトル飲み口に関するものである。
【技術背景】
【０００２】  飲料用ペットボトルに於いて、飲み口には開閉と密閉が目的の為か、ねじ山上部の飲み口が、ペットボトルを立てた状態で、水平及び平らになっている。
【０００３】  飲用時、飲み口は平らな為、下唇と上唇に接する部分が大変多く、吸引時にはペットボトル内が減圧され、上唇がボトル内に吸引されたり、また飲用時は、どうしても上唇が飲み口に触れるため、女性等の化粧品である口紅が落ちる等不便を感じる物であった。
【発明の開示】
【発明が解決しようとする課題】
【０００４】  そこで、この発明は、飲用時に口当たりの良い飲み口と、人意的にペットボトル内の減圧調整をする事無く、またペットボトルの飲用動作による人面の化粧の変化を無くす等を課題とする。
【課題を解決するための手段】
【０００５】  以上の課題を解決するために、ペットボトルを立てた状態で見て、飲み口上部を平らでなく、斜めにした事を特徴とするペットボトルの飲み口である。
【発明の効果】
【０００６】  本発明によれば、飲用時、斜めにした飲み口を唇に当てても、接する部分の大半が下唇の内側で、更に上唇と飲み口の間に空間ができる為、ペットボトル内が減圧される事無く、スムーズに飲用する事ができる。また女性等の化粧品である口紅のついた下唇の外側や上唇がペットボトルの飲み口に触れないため化粧が崩れない。また化粧直しの煩わしさも無くなる。
【発明を実施するための最良の形態】
【０００７】  説明の前に記載するが、ペットボトルには内容物の密閉の為キャップを要するが、本発明はペットボトルの飲み口の形態であり、また形態が特殊な為、キャップの構造もいくつか思い浮かぶので、今回はあえて限定したキャップの提案はなしとする。【０００８】  以下、本発明の実施の形態を図面に基づき詳細に説明する。【０００９】  図１は、本発明の飲み口を表とした時、９０度横から見た図である。図２は、飲み口を表から見た図である。図３は、飲み口を真上から見た時の平面図である。図４は、本発明を実際に使用している様子。
【実施例１】
【００１０】  飲み口の部分１を斜め形状にし、長いほうの２を下唇にあてる様にして飲用する。すると図４のような形態になり、上唇と３の間に空間４ができる。ペットボトル内のドリンクを飲用した時、ペットボトル内が減圧されるが、大きく開いた空間４から空気が入り減圧される事無くスム−ズに飲用が可能となる。また図４でわかるように、飲み口にあたる部分は下唇の内側のみで、女性等の化粧品である口紅等がおちる心配も無くなる。
【産業上の利用可能性】
【００１１】  本発明の、ペットボトルの飲み口を用いることで、飲用時の口当たりが良くなり、スム−ズな飲用ができることはもちろん、女性等の化粧崩れによる化粧品の再使用や化粧直しの為のトイレの使用が無くなり時間の有効利用にもつながる。結果化粧品を購入する出費も減り、また浮いた時間も労働等で有効に使用することができれば経済的にも産業の促進につながると言える。
【図面の簡単な説明】
【００１２】
【図１】  飲み口を表とした時の９０度横から見た図
【図２】  飲み口の表から見た図
【図３】  飲み口の真上から見た図
【図４】  横から見た実際の使用形態
【符号の説明】
【００１３】  １  飲み口
２  飲み口で飲用時下唇にあたる長い方（下側）
３  飲み口で飲用時上唇側になる短い方（上側）
４  実際の使用形態で、上唇と  ３  の間にできる空間
【図１】
2009029504.tif 000003
【図２】
2009029504.tif 000004
【図３】
2009029504.tif 000005
【図４】
2009029504.tif 000006
(57)【要約】      （修正有）【課題】通常携帯用ボトルの飲み残りは衛生上問題があり、廃棄してしまう。本品は主として携帯用ボトルに使う衛生重視コップであって、飲み終わった容器は洗浄して好みの飲物等を賞味期限内保存しておける。【解決手段】ボトル1入りの飲料等を栓又は蓋つき衛生コップ2で寸飲みできるよう考案したもので次期飲みたいときまで衛生に留意すれば保管しておける。【選択図】図１
2009029506.tif 000002
【特許請求の範囲】
【請求項１】
飲み残した飲料等を後日でも清潔に飲めるよう、ボトルなどに付属している栓又は閉蓋して保存出来ることを特徴とするボトルなどの栓又は蓋
【請求項２】
請求項１を応用したことを特徴としたボトルの栓。
【発明の詳細な説明】
【技術分野】０００１
ボトル入り飲料の飲み残りに再び口をつけるのは衛生上よくない。飲み残りの飲料はコップに付属された栓又は蓋で閉めておけば賞味期限内なら安心して飲用出来る。
【背景技術】０００２
液体等の容器及び栓つき衛生コップは適応した金型で成型すれば可能である。
【発明の開示】
０００３
栓つき衛生コップを緩めて在中の必要物を注ぎ、必要量を使用したら再び栓つきコップを閉めておく。
【発明が解決しようとする課題】
０００４
水分摂取は健康上大切でも一気飲みはむしろ弊害が伴う。在来ボトルでは開封後殆ど残しておけない。本発明品では必要飲料などの使い残りは賞味期限内なら捨てなくてもよい。
【課題を解決するための手段】
０００５
在来品のボトルでは直接口を付けて飲用するがこれは栓付きコップに移して飲用出来るので清潔である。
【発明の効果】
０００６
使用済みボトルでも消毒すれば自己好みの液体に再三使用出来るため、エコノミー用品として社会に貢献出来る。
【発明を実施するための最良の形態】０００７
このボトル及びコップは再三使用時、簡単に洗浄出来るので他人使用後でも安心して使用できる。
【実施例】０００８
未だ未公開のため周知されていないが資金調達の上、商社の協力を得たい。
【産業上の利用可能性】０００９
この商品の開発を得て社会に貢献をと発願する。
【図面の簡単な説明】符号の説明
▲１▼  飲料等を入れるボトル
▲２▼  栓又は蓋つき衛生コップ
▲３▼  俯瞰図
2009029506.tif 000003
【手続補正書】
【提出日】平成20年1月15日(2008.1.15)
【手続補正１】
【補正対象書類名】明細書
【補正対象項目名】全文
【補正方法】変更
【補正の内容】
【発明の詳細な説明】
【技術分野】
【０００１】ボトル入り飲料の飲み残りに再び口をつけるのは衛生上よくない。飲み残りの飲料はコップに付属された栓又は蓋で閉めておけば賞味期限内なら安心して飲用できる。
【背景技術】
【０００２】液体等の容器及び栓つき衛生コップは適応した金具で成型すれば可能である。
【発明の開示】
【０００３】栓つき衛生コップを緩めて在中の必要を注ぎ、必要量を使用したら再び栓つきコツプを閉めておく。
【発明が解決しようとする課題】
【０００４】水分摂取は健康上大切でも一気飲みはむしろ弊害が伴う。在来ボトルでは開封後殆ど残しておけない。本発明では必要飲料などの使い残りは賞味期限なら捨てなくてもよい。
【課題を解決するための手段】
【０００５】在来品のボトルでは直接口をつけて飲用するがこれは栓つきコップに移して飲用出来るので清潔である。
【発明の効果】
【０００６】使用済みボトルでも消毒すれば自己好みの液体に再三使用出来るため、エコノミー用品として社会に貢献出来る。
【発明を実施するための最良の形態】
【０００７】このボトル及びコップは再三使用時、簡単に洗浄出来るので他人使用後でも安心して使用できる。
【実施例】
【０００８】未だ未公開のため周知されていないが資金調達の上、商社の協力を得たい。
【産業上の利用可能性】
【０００９】この商品の開発を得て社会に貢献をと発願する。
【図面の簡単な説明】
【００１０】
【図１】
【図２】
【図３】
【符号の説明】
【００１１】１、飲料等を入れるボトル
２、栓又は蓋つき衛生コップ
３、俯瞰図
【手続補正２】
【補正対象書類名】図面
【補正対象項目名】全図
【補正方法】変更
【補正の内容】
【図１】
2009029506.tif 000004
【図２】
2009029506.tif 000005
【図３】
2009029506.tif 000006
【手続補正書】
【提出日】平成20年3月7日(2008.3.7)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【発明の詳細な説明】
【技術分野】
【０００１】ボトル入り飲料の飲み残りに再び口をつけるのは衛生上よくない。飲み残りの飲料はコップに付属された栓又は蓋で閉めておけば賞味期限内なら安心して飲用できる。
【背景技術】
【０００２】液体等の容器及び栓つき衛生コップは適応した金具で成型すれば可能である。
【発明の開示】
【０００３】栓つき衛生コップを緩めて在中の必要液を注ぎ、必要量を使用したら再び栓つきコップを閉めておく。
【発明が解決しようとする課題】
【０００４】水分摂取は健康上大切でも一気飲みはむしろ弊害が伴う。在来ボトルでは開封後殆ど残しておけない。本発明では必要飲料などの使い残りは賞味期限なら捨てなくてもよい。
【課題を解決するための手段】
【０００５】在来のボトルは直接口をつけて飲用するがこれは容量目盛りつきコップに移して飲用出来るので飲用過不足が調節できて清潔である。
【発明の効果】
【０００６】使用済みボトルでも消毒すれば自己好みの液体に再三使用出来るため、エコノミー用品として社会に貢献出来る。
【発明を実施するための最良の形態】
【０００７】このボトル及びコップは再三使用時、簡単に洗浄出来るので他人使用後でも安心して使用できる。
【実施例】
【０００８】未だ未公開のため周知されていないが資金調達の上、商社の協力を得たい。
【産業上の利用可能性】
【０００９】この商品の開発を得て社会に貢献をと発願する。
【図面の簡単な説明】
【００１０】
【図１】本発明に関わる第１実施例での全体側面図である。
【図２】本発明第２実施例の容量目盛りつきコップの側面図である。
【図３】本発明にかかわる第３実施例での全体の俯瞰図である。
【符号の説明】
【００１１】１、飲料等を入れるボトル
２、容量目盛りつきの栓又は蓋つき衛生コップ
３、俯瞰図
【手続補正２】
【補正対象書類名】手続補正書
【補正対象項目名】手続補正２
【補正方法】変更
【補正の内容】
【手続補正２】
【補正対象書類名】図面
【補正対象項目名】全図
【補正方法】変更
【補正の内容】
【図１】
2009029506.tif 000007
【図２】
2009029506.tif 000008
【図３】
2009029506.tif 000009
(57)【要約】【課題】  ティッシュボックスを単なる紙箱としてだけでなく、利用する人がどんな状態のときでも、ティッシュが取り出し易く、場所取りの小物類が整理され、受験生であれば希望校の名前などを書いた紙を、企業であれば商品の名前、会社名などステッカーを貼って宣伝用に、お年寄りであれば、お孫さんや家族の写真を貼るなど、ティッシュが身近な存在であるだけにその価値を高める為の収納ケース。【解決手段】  １の内部に９の構造を有する成型品であって、ティッシュボックスは傾斜した形で収納され４より取り出す、３は小物置き台となり用途に応じた小物を置くことができる、１０の空間を利用して用途に応じた使い方ができることを特徴とする。【選択図】    図１
2009029429.tif 000002
【特許請求の範囲】
【請求項１】
ティッシュボックスを収納できる空洞を有し、傾斜状態に収納でき、収納ボックスの自重により、最後の一枚まで引き抜くことができる。
【請求項２】
収納ボックス外面上部に囲いを設けて、小物などを置くことができ、ティッシュ取り出し口、上下の空きスペースを利用して用途に応じた宣伝用シールなどを取り付けられる請求項１記載の収納ボックス。
【発明の詳細な説明】
【技術分野】
【０００１】
本発明は、一般ティッシュ紙箱、合成樹脂、ティッシュ収納装飾箱、その他のティッシュ収納箱に関する。
【背景技術】
【０００２】
従来、ティッシュボックスから、紙を引き抜く時、自分の身体近くに寄せたり、腕の届く範囲で、真上に引き抜かないと途中で切れたり、ボックス内の残量が少ないと軽くなるので、別の手で押さえて引き抜かなければならない。
客商売であれば、新しいのと早目の交換が必要で不経済が生じる。
又、病院のベッドで寝ている人であれば、他の人に取ってもらう不便さもある。
【０００３】
この改善策として、ティッシュ紙箱を斜めに装着することにより、取り出しやすくなる。
【特許文献１】実開平２−２５４８７号公報
【発明の開示】
【発明が解決しようとする課題】
【０００４】
解決しようとする問題点は、従来のティシュボックスは使用する必要な枚数を安定的に引き抜く為のものであり、ボックス収納箱は見た目の装飾を目的としている。
【０００５】
本発明は、このような点に鑑み成されたものであり、その目的は、テーブル、化粧台、寝床、勉強中など必要な時に離れた所に置いてあっても、腕の届く範囲であれば、引き抜く角度と収納ボックスの自重により、最後の一枚まで使うことができる。
【０００６】
外面上部に設ける囲いの内側には、用途に応じた小物類を置くこともできる。又、前面スペースには、自社、他社などの宣伝シールなどを取り付けられる。
【課題を解決するための手段】
【０００７】
収納ボックス内部構造を、ティッシュボックス装着受け台を傾斜角を有する受け台にすることにより、外観を美しく保ち、又、多用途にも併用できる。又、成型品の重さを利用して残り枚数が少なくなり、軽くなっても最後までスムーズに引き抜ける構造体とする。
【発明の効果】
【０００８】
以上説明したように、ティッシュ取り出し口の角度を引き出し易くすることにより、様々な場面の用途に対応できる。小物台は、調味料、化粧品、時計、ラジオなどの小物置台としての用途は多い。前面取り出し口の上下スペースには、自社広告、他社広告など、さまざまな告知板としての利用価値もある。
【発明を実施するための最良の形態】
【０００９】
以下、本発明の実施の形態を図面に基づき、詳細に説明する。
【００１０】
図１、図３は本発明の実施の形態に係わり、図１はその外観斜視図。
図２はその背面図、図３はその内部ティッシュボックスの傾斜受け台、模式図である。 
【００１１】
図１に示すように、成型品はティッシュボックスを６のツマミを用いて７の開閉扉よりティッシュボックスを挿入、図３の傾斜受け台に装着又は独立した傾斜受け台を作り、装着してから挿入して図１の４よりティッシュを取り出す。
【００１２】
図１の３小物置台を設けることにより利便性を生ずる。
【実施例１】
【００１３】
図１の１０上下広告用スペースを広告掲示場所として利用する。
【実施例２】
【００１４】
図２は、図１の成型品の背面図であり、平面なので机やテーブルの端、ベッドサイズなどの日常邪魔にならない所に置くことができる。
【実施例３】
【００１５】
図３は、図１の成型品の内部、傾斜受け台模式図であり、ティッシュを取り出し易い角度で装着できる受け台である。
【００１６】
傾斜角度の取り出し口なので、壁際、窓際、病院のベッドサイドなどでも小物置台の利便性を発揮することができ、また広告スペースを使い宣伝分野など多方面で利用できる。
【図面の簡単な説明】
【００１７】
【図１】本発明の第１の形態に係わる成型品の外観斜視図である。
【図２】図１の成型品の背面図である。
【図３】図１の内部ティッシュボックス傾斜受け台模式図である。
【符号の説明】
【００１８】
１    本発明の実施に係わる成型品
２    図１の実施に係わる構造体
３    小物置台
４    ティッシュペーパー取り出し口
５    開閉扉固定用金具
６    開閉ツマミ
７    開閉扉
８    構造体背面  
９    傾斜受け台
１０    広告用スペース上下
【図１】
2009029429.tif 000003
【図２】
2009029429.tif 000004
【図３】
2009029429.tif 000005
(57)【要約】【課題】本発明は通気性を保持し、且つ、吸着体で吸着可能な包装袋である。【解決手段】通気性フィルム３で形成の包装袋１に、吸着体１５ａ、１５ｂで吸着可能な幅の不通気性フィルム４を取付けてなる。【選択図】図１
2009029487.tif 000002
【特許請求の範囲】
【請求項１】
通気性フィルムで形成の包装袋であって、その包装袋に、吸着体で吸着可能な幅の不通気性フィルムを取付けてなる包装袋。
【発明の詳細な説明】
【技術分野】
【０００１】
本発明は、通気性を保持し、且つ、吸着体で吸着可能な包装袋に関する。
【背景技術】
【０００２】
包装袋は、種々の材質で形成されていて、例えば、業務用の削り鰹等は、通気性のある、例えば、不織布等の包装袋に、人手を介して詰めて出荷している。
この通気性の包装袋に削る鰹を袋詰めするのは、直接、包装袋を鍋等に入れて使用可能であり、業務において、大量に調理をするときに便利である。
尚、この分野の技術文献は、開示しなくても理解できる。
【発明の開示】
【発明が解決しようとする課題】
【０００３】
一般に、不通気性の包装袋の開口は、吸引ポンプで負圧状態である吸着体を使用して開口が行われて、自動化が図られている。
しかし、前記のように、通気性の包装袋では、吸着体を使用して開口できず、削り鰹は人手によって詰めざるをえない。そのため、作業効率が悪く、吸着体を使用して開口し、その開口口から削り鰹を詰めるという、一連の作業ができる自動化が望まれている。
そこで、本願発明では、通気性を保持し、且つ、自動化を可能にするために、吸着体で吸引可能な包装袋を提供するものである。
【課題を解決するための手段】
【０００４】
本願発明の包装袋は通気性フィルムで形成してあり、その包装袋に、吸着体で吸着可能な幅の不通気性フィルムを取付けてなるものである。この不通気性フィルムによって、吸着体を介して、開口することができるので、従来の包装機械の使用ができる。
【発明の効果】
【０００５】
本願発明の包装袋は、従来の通気性を保持し、吸着体で吸着可能であるので、従来の包装機で包装袋の開口ができる。
【発明を実施するための最良の形態】
【０００６】
本発明を図面を参照して説明すると、図１は包装袋１を製作する概念図、図２は吸着体を使用して包装袋を開口する図である。
包装袋１は、通気性を有する不織布等の通気性樹脂フィルム３と、不通気性で幅狭なポリエチレン等の不通気性樹脂フィルム４を使用する。
【０００７】
この包装袋１の製作方法は、先ず、通気性樹脂フィルム３の端部と不通気性樹脂フィルム４の端部を合わせて、ヒートシーラ１０で、不通気性樹脂フィルム４の両端をヒートシールで溶着して、包装樹脂シート５を作成する。
尚、不通気性樹脂フィルム４を通気性樹脂フィルム３に取り付ける位置は、吸着体１５ａ、１５ｂで吸着可能な位置であり、その不通気性樹脂フィルム４の幅は、後述の吸着体１５ａ、１５ｂで吸着可能な幅であればよく、吸着体１５ａ、１５ｂの口径より小さくてもよいい。
【０００８】
次に、前記包装樹脂シート５を２枚使用し、包装樹脂シート５に溶着の不通気性樹脂フィルム４と他方の包装樹脂シート５に溶着の不通気性樹脂フィルム４とを重ね合わせて、ヒートシーラで包装袋１の側部と側部、及び底部をヒートシールする、所謂、３方シールの包装袋１が製作される。
即ち、包装袋１は、ヒートシールを施すことによって、通気性樹脂フィルム３をベースに、上縁側の開口部の内側において、包装袋の側部から側部に到る間、不通気性樹脂フィルム４、４が溶着された状態で、１枚毎、分離成形される。
【０００９】
次に、前記包装袋１は、不通気性樹脂フィルムを備えているので、包装袋１を複数枚積層し、１枚毎、給袋する場合に吸着体（図示略）で吸着して、給袋することができる。
そして、その給袋された包装袋１は、包装機に備えてある右吸着体１５ａと左吸着体１５ｂで、包装袋１の両端を掴んで、開口する状態を図２を参照して説明する。
包装袋１の両端は、掴み腕１１ａ、１１ｂで掴まれた状態を維持する。又、包装袋１を開口するに当たって、右吸着体１５ａと左吸着体１５ｂを使用する。
尚、右吸着体１５ａはチューブ１６ａに、左吸着体１５ｂはチューブ１６ｂに接続されていて、図示略の電磁弁（又はメカバルブ）の操作によって、右吸着体１５ａと左吸着体１５ｂは真空装置を介して吸引状態となる。
【００１０】
そこで、右吸着体１５ａは包装袋１の片側の不通気性樹脂フィルム４の位置で、左吸着体１５ｂは包装袋１の他方の不通気性樹脂フィルム４の位置で、通気性樹脂フィルム３に当接すると、前記電磁弁の操作によって吸引状態になる。
そして、右吸着体１５ａと左吸着体１５ｂが吸引状態になると、包装袋の不通気性樹脂フィルム４によって吸着可能になり、その後、掴み腕１１ａ、１１ｂを接近させると共に、右吸着体１５ａと左吸着体１５ｂを互いに離反させることによって開口状態になる。その後、この開口された包装袋に物品を投入する。
【００１１】
以上のように、不通気性樹脂フィルム４が包装袋の内側に溶着されていることによって、包装袋１は右吸着体１５ａと左吸着体１５ｂで吸着可能になり、開口させることができるので、従来の包装機の使用が可能となる。
この様に、不通気性樹脂フィルム４は、通気性樹脂フィルム３に熱溶着可能であると共に、物品を投入した後に、開口部を閉鎖するために、通気性樹脂フィルム３と共に熱溶着可能な性質の材質である。
【００１２】
尚、前記不通気性樹脂フィルム４は、包装袋の開口部の上縁側の内側で、包装袋１の側部から側部に到る間、即ち、全面にわたって溶着されているが、側部から側部に到る間、離散的な間隔で、例えば、前記吸着体１５ａ、１５ｂに当接する位置だけに形成してもよい。
又、不通気性樹脂フィルム４の両側は、包装袋にヒートシールして形成してあるが、片側、特に、開口部の上縁側だけをヒートシールして取り付けてもよいし、不通気性樹脂フィルム４は、包装袋の内側に取り付けるのではなく、外側に取り付けてもよい。
又、通気性樹脂フィルム３、不通気性樹脂フィルム４は合成樹脂に限定されないし、熱溶着に替えて接着剤を使用して構成してもよい。
【図面の簡単な説明】
【００１３】
【図１】包装袋の製作過程を示す図である。
【図２】包装袋を開口する機構を示す図である。
【符号の説明】
【００１４】
１  包装袋
３  通気性フィルム
４  不通気性フィルム
５  包装シート
１０  ヒートシーラ
１１ａ、１１ｂ  掴み腕
１５ａ  右吸着体
１５ｂ  左吸着体
【図１】
2009029487.tif 000003
【図２】
2009029487.tif 000004
(57)【要約】      （修正有）【課題】従来の顧客向け会員カードは発行企業と会員顧客間での使用目的のみであった。クレジットカードとしてはクレジットカード番号が顧客本人以外に情報が流出する恐れがあり、インターネット通販では個人情報流出の懸念があった。【解決手段】クレジットカードの機能を会員カードへ付加したことで発行企業以外での使用用途が大幅に広がり、会員からのクレジットカード決済手数料が発行企業への収入となるビジネスモデルである。また、クレジットカード番号とともに会員番号を発行、掲載できるため個人情報であるクレジットカード番号を口頭で読み上げるなどの個人情報流出機会を防ぐことができる。【選択図】図１
2009029096.tif 000002
【特許請求の範囲】
【請求項１】
額面上に独自の会員番号を付与したクレジットカード
【発明の詳細な説明】
【技術分野】
【０００１】  この発明は、企業が会員顧客へ、会員の証明カードとして発行するカードにクレジット機能を持たせたものである。
また、クレジットカードへ企業独自の会員番号を記載し、会員情報の照会を容易にすることができるものである。
【背景技術】
【０００２】従来の会員カードは発行企業以外での使用目的がないため、保有を諦める顧客が多い。
発行企業は会員との取引だけに会員カードを使用してもらうが、それ以外での顧客からの収入はなかった。
【発明の開示】
【発明が解決しようとする課題】
【０００３】会員カードを特定の使用目的のみではなく、あらゆる購買場面での利用を促す。
発行企業において会員が、会員番号のみでキャッシュレス、カードレスでの決済をする。
【課題を解決するための手段】
【０００４】以上の課題を解決するために、第一発明は、従来の会員カードをクレジットカードとして発行することを特徴とするビジネスモデルである。クレジットカード機能を付けることによって、破棄される心配が減る。
また、第二発明はクレジットカード番号とは別に会員番号をカード額面上に記載することを特徴としたクレジットカード発行のビジネスモデルである。
【発明の効果】
【０００５】カード発行企業は、提携カード会社よりオリジナルデザインとして会員カードを発行できるため、企業知名度の向上とクレジットカードの特性上破棄される機会が減る。
第二発明によると会員番号から会員情報の照会が可能になることと、会員へのポイント加算、特典付与などが可能になる。
また、発行企業内ではクレジットカード番号が会員番号の照会でわかるため、現金を介さず、カードをきることなく顧客が決済することが可能であるため、個人情報であるクレジットカード番号の流出を防ぐことができる。
【発明を実施するための最良の形態】
【０００６】この発明の一実施形態を、図１に示す。
図１は富士興商株式会社が運営する旅の散策ツアーズのクレジットカード機能付き会員カードである。
会員カード額面上に企業名、企業ロゴのデザインを大きく表示することができる。
クレジットカード額面上に会員番号が表示され、クレジットカード番号とは区別された発行企業独自の会員情報が照会できる。
この発明の一実施形態を、図１に示す。
【図面の簡単な説明】
【０００７】
【図１】この発明の一実施形態を示す斜視図である。
【図１】
2009029096.tif 000003
(57)【要約】      （修正有）【課題】  湿式コアードリルでの穿孔作業の問題点であった切削廃水の漏水及び吸水不能を防ぎ、美しくて速やかな作業を行う。【解決手段】  円筒を二重にすることによる陰圧空間部分を設け、さらに内筒下部に適切に数箇所の切削廃水が通過し易い小穴を設けたバキューム式二重円筒吸水処理パッドを使用することにより、切削廃水を水処理パッド外部に漏らすことなく作業できるようになり、作業性が一層よくなった。【選択図】なし【特許請求の範囲】
【請求項１】
二重円筒の内筒下部に適切な数箇所の小穴を設けることにより、切削廃水を容易に吸引できるようにしたバキューム式二重円筒吸水処理パッド。
【発明の詳細な説明】
【技術分野】
【０００１】  本発明は、湿式コアードリルで、鉄筋コンクリート、石材、アスファルト等に穿孔する場合に用いる切削排水を、水処理パッド内部を陰圧にすることにより、漏水することなく容易に排水できる吸水処理パッドに関するものである。
【背景技術】
【０００２】  従来、湿式コアードリルで、鉄筋コンクリート、石材、アスファルト等に穿孔する場合、作業時に使用するドリル刃冷却水の切削廃水漏れを防ぐ付属周辺装置として、水処理パッドがあった。
当該水処理パッドは一重の円筒型で、下部にはゴム製のＯリングが付いており、そのＯリング上部に付いているノズルから、切削廃水をポンプで強制的若しくは非強制的に排出していた。
また別の例として、特許文献１として開示されているものがある。
【特許文献１】  特開２００３−１２７１３１号公報
【発明の開示】
【発明が解決しようとする課題】
【０００３】  従来の水処理パッドを使用して、ドリル刃冷却廃水を排水する場合、当該水処理パッドの下部のゴム製のＯリングと、穿孔の対象となる鉄筋コンクリート、石材、アスファルト等との接着面が不均一であるため、必ず漏水が発生し、穿孔部分周辺が切削粉を含む泥水で汚れ、泥水除去作業も必要となり、作業性が悪い状態であった。
また、バキュームクリーナー等で吸引した場合でも、ダイアモンドコアービットの回転を妨げない程度の空隙により大気解放状態となり、大気圧と同等の圧力空間では、バキュームクリーナー等の本来の能力を引き出せないまま、水処理パッドのＯリングと穿孔の対象面の隙間からの漏水を妨げなかった。
また、特開２００３−１２７１３１の「バキューム式二重円筒水処理パッド」では、二重の円筒特に内筒が穿孔面に密着しすぎて吸引水できなくなり、十分な威力を発揮できなかった。
【課題を解決するための手段】
【０００４】  円筒が二重になっている水処理パッドにおいて回転しているダイアモンドコアービットを冷やした切削廃水は、まず穿孔の対象面に廃水が流れ得る数箇所の切れ目若しくは小穴を持つ内筒底部を通って外筒との間部分に移動するようになっている。その外筒は穿孔の対象面と密着できるよう下部ゴムＯリング付き円筒になっており、且つ内筒と外筒の間は筒上部で一体化し密閉されているので、バキュームクリーナー等で吸引すると、内筒と外筒の間にある空間が若干の陰圧となり、切削廃水は強制的に、内筒下部に適切に設けられた数箇所の小穴を通過して内筒と外筒の空間に移動し、その後に外筒の下部Ｏリングの上に設置された排水口のみから吸引排出されることになる。
【発明の効果】
【０００５】  水処理パッド内部に陰圧部分を設け、さらに内筒下部に適切に設けられた数箇所の小穴により切削廃水の流れを強制的に作ることによって、切削廃水を水処理パッド外に垂れ流すことなく、排水処理が可能となる。
【発明を実施するための最良の形態】
【０００６】  ダイヤモンドコアビット回転を妨げない二重円筒の構造で、内筒と外筒の間は筒上部で一体化し密閉固定された水処理パッドを穿孔の対象面に固定し、湿式コアードリルで冷却水を流出しながら穿孔作業を行う。
回転しているダイアモンドコアービットを冷やした切削廃水は、まず穿孔の対象面に密着した内筒下部に適切に設けられた数箇所の直径５ミリメートル程度の小穴を通って、内筒と外筒との間に移動するようになっている。その外筒は穿孔の対象面と密着できるよう下部ゴムＯリング付き円筒になっており、且つ内筒と外筒の間は筒上部で一体化し密閉されているので、バキュームクリーナー等で吸引すると、内筒と外筒の間の空間が若干の陰圧となり、切削廃水は強制的に内筒の下部に適切に設けられた数箇所の小穴を通過し、内筒と外筒の空間に移動し、さらに吸引により外筒の下部ゴムＯリングの上に設置された排水口のみから吸引排出される。
【産業上の利用可能性】
【０００７】  従来の水処理パッドでは、切削作業時の排水を十分処理できずに垂れ流していたが、本発明のバキューム式二重円筒吸水処理パッドでは、水処理パッド周辺を切削廃水で汚すことがなくなり、後処理や掃除の手間が省け、且つ内筒の下部に適切に設けられた数箇所の小穴により作業性が良くなる効果があるので産業上の利用可能性を有する。
(57)【要約】【課題】  野菜、特に直ちに調理したり生食に供したり出来るように刻んだ刻み野菜や葉物野菜、のシャキシャキ感を失なうことなく冷凍保存する方法、及び、その方法で保存した野菜、特に直ちに調理したり生食に供したり出来るように刻んだ刻み野菜や葉物野菜【解決手段】  多糖類の水溶液、特にトレハロース水溶液、に野菜、特に直ちに調理したり生食に供したり出来るように刻んだ刻み野菜や葉物野菜、を浸し、水を切り、袋に入れ、袋の空気を抜いて密封し、冷凍庫に入れて冷凍保存する。【特許請求の範囲】
【請求項１】
野菜を多糖類の水溶液に浸した後冷凍保存することを特徴とする、野菜の冷凍保存方法
【請求項２】
請求項１記載の方法で冷凍保存した野菜
【請求項３】
野菜が直ちに調理又は生食出来るように刻んだ刻み野菜であることを特徴とする、請求項１記載の野菜の冷凍保存方法
【請求項４】
請求項１記載の方法で冷凍保存した直ちに調理又は生食出来るように刻んだ刻み野菜
【請求項５】
多糖類がトレハロースであることを特徴とする、請求項１記載の野菜の冷凍保存方法
【請求項６】
野菜が直ちに調理又は生食出来るように刻んだ刻み野菜であることを特徴とする、請求項５記載の野菜の冷凍保存方法
【請求項７】
請求項５記載の方法で冷凍保存した野菜
【請求項８】
請求項５記載の方法で冷凍保存した直ちに調理又は生食出来るように刻んだ刻み野菜
【発明の詳細な説明】
【技術分野】
【０００１】
本発明は、野菜、特に、直ちに炒めるなど調理したり生食したり出来るように刻んだ野菜（「刻み野菜」）や葉物野菜を、冷凍保存する技術に関する。
【背景技術】
【０００２】
近年、野菜を含め、ますます多くの食品が直ちに調理又は生食出来る状態の冷凍食品として販売されるようになり、また、家庭においても食品を冷凍保存することが多くなって来ている。
【発明の開示】
【発明が解決しようとする課題】
【０００３】
しかしながら、野菜を冷凍保存した場合、特に、刻み野菜や葉物野菜の場合、解凍したときに水分が失なわれ、シナっとし、シャキシャキした食感が失なわれるという問題がある。
【０００４】
このため、冷凍保存した後解凍してもシャキシャキした食感が損なわれない冷凍保存方法が望まれている。
【課題を解決するための手段】
【０００５】
本発明に係る冷凍保存方法は、多糖類が保水力を有することから化粧品に保水剤として使用されていること、また、粘性を有することからアイスクリームなどの食品に増粘剤として使用されており人体に無害であること、かつ、ほんのりとした甘みを有することから野菜の味を損なわないこと、に着目し、多糖類を用いて野菜、特に、刻み野菜や葉物野菜をシャキシャキした食感を失なうことなく冷凍保存することを目的とする。
【０００６】
すなわち、本発明は、冷凍保存しようとする野菜、特に、刻み野菜や葉物野菜を、多糖類の水溶液に浸した後袋に入れて冷凍庫に入れ冷凍保存することにより、解凍しても野菜の水分が失なわれることがなく、解凍して炒めたりして調理しても、また、生食に供しても、シャキシャキした食感を保つことができる。また、多糖類は人体に無害であり、かつ、ほんのりとした甘みを有するので、解凍して、水洗いして多糖類を除去することなく、そのまま調理したり生食したりしても、人体に無害であり、また、冷凍保存した後解凍した野菜、特に、刻み野菜や葉物野菜の味を損ねることがない。
【０００７】
冷凍保存する場合において、野菜を入れた袋に空気が残っていると、空気が熱伝導率が悪いため、冷凍が妨げられるので、多糖類の水溶液に浸した野菜を袋に入れた際、手で押したり吸気したりして、袋の中の空気を除去することが望ましい。
【発明の効果】
【０００８】
本発明により、冷凍保存した野菜、特に刻み野菜や葉物野菜を解凍したときに、水分が失なわれてシナっとすることなく、シャキシャキした食感を有したまま調理したり、生で食したりすることが出来ることになる。
【発明を実施するための最良の形態】
【０００９】
以下、本発明にかかる野菜の冷凍保存方法に関し実施の形態につて説明するが、この発明の実施の形態によって特許請求の範囲に記載された発明が限定されるものではない。
【実施例１】
【００１０】
市販の、刻んだキャベツ、モヤシ、及び、刻んだニンジン５００ｇ入り袋から刻んだキャベツ、モヤシ、及び、刻んだニンジンを取り出し、常温の水道水２リットルにトレハロース２００ｇを溶融させた１０％トレハロース水溶液に１０分浸した。然る後、該刻んだキャベツ、モヤシ、及び、刻んだニンジンを該１０％トレハロース水溶液から取り出し、水を切り、ビニールの袋に入れ、手で押して該袋から空気を排出し、該袋を密封して、冷凍庫に入れ、−３０℃で１５分間冷凍した後、該刻んだキャベツ、モヤシ、及び、刻んだニンジンを袋から取り出し、２５０ｇずつに分け、２５０ｇの片方をフライパンで油で炒め、２５０ｇのもう一方を鉄製の中華鍋で素炒めしたが、いずれも冷凍保存した該刻んだキャベツ、モヤシ、及び、刻んだニンジンのシャキシャキした食感が保存されていた。
【産業上の利用可能性】
【００１１】
本発明は、野菜、とりわけ刻み野菜及び葉物野菜の冷凍保存方法であり、該冷凍保存方法により冷凍保存した野菜、とりわけ刻み野菜及び葉物野菜であり、冷凍食品の製造販売への利用の可能性がある。
(57)【要約】【課題】      蜂蜜の甘さと風味をそのままに、粘性と流動性を取り去り、ゼリーの如き固さと、ク  リームのような切れのよい粘性と、伸びのよいペースト性を有し、蜂蜜の濃度を保つ製品を得ることである【解決手段】    蜂蜜の風味と甘さを保持して、含有率も保持したものという、課題を解決するには、糖・ペクチン・酸の三者のバランスによってゼリー化の程度が決まるペクチンを活用し、    酸として、柑橘果汁を用いることによって、バランス関係を解決する。柑橘系には酸味の強いもの、弱いものがあり、これらを組み合わせることによって柑橘系の風味等がつかない製品や風味をつけた製品を製造することも可能であり、作業性のよい蜂蜜ジャムを供給することが出来る。【選択図】なし【特許請求の範囲】
【請求項１】
ハイメトキシル・ペクチンを少量の蜂蜜に混合後、加水して加熱溶解させ、残りの蜂蜜を加えて加熱後、仕上げに柑橘果汁を加えて得られる、ジャム状並びにゼリー状に仕上げたゲル状蜂蜜の製造法
【請求項２】
請求項１において蜂蜜の占める割合が６０から９０重量部であるゲル状蜂蜜     
【請求項３】
請求項１においてペクチンの量が蜂蜜の重量に対して０．１から６重量部であり、
ペクチンの使用量によってジャム状またはゼリー状に仕上げられたゲル状蜂蜜
【請求項４】
請求項１において使用する柑橘類の果汁はレモン、ゆず、カボス等よりなり、その
使用量が蜂蜜の重量に対して２から３０重量部であるゲル状蜂蜜
【発明の詳細な説明】
【技術分野】
【０００１】
本発明は子供たちが蜂蜜の持つ粘性のため使用し辛い面を解決しょうとするものであ          
り，匙・ナイフなどでとりやすく、塗りやすい製品にすることを目的とし、あわせて製菓材料を提供することにある。
【背景技術】
【０００２】
従来はその粘性を解決するために、蜂蜜にコンニャクマンナンを加え、カラギーナンやグアガム、寒天、ペクチンなどの一種以上の天然粘質物を加えてペーストを製造するものがある。（例えば特許文献１参照）
【０００３】
又蜂蜜に寒天を含む２種以上の天然粘質物を加えて、固形状に仕上げたものもある。（例えば特許文献２参照）
【０００４】
又蜂蜜の使用量を減じたゼリーの製造も見られる。（例えは特許文献３参照）
【０００５】
しかしその何れも天然粘質物を複数加えペースト状または固形状に固めたものであり、
その性状は蜂蜜の粘性を取り除いたに過ぎないし、そのほか蜂蜜ジャムと称する物もあるが、それらは、果実などのジャム製造において、原材料の糖質を蜂蜜に一部を置き換えている蜂蜜入り、というに過ぎず、本発明のように蜂蜜そのものをジャムにしようとするものではなかった。
【特許文献１】特許公開平７−２７４８５４
【特許文献２】特許公開２００７−２４４３６１
【特許文献３】特許公開２０００−２４５３６３
【発明の開示】
【発明が解決しようとする課題】
【０００６】
これら従来の技術で製造したものは、色々と配合を変えて試作しても、製品は単に粘性を取り除いたというだけであり、ペースト性は出るものの、塗布などした時、粘性不足を生じ流れるなどの欠点が生じ、固めにすると伸びがなくなり、一般にジャムといわれるゼリーの如き固さと、クリームのような切れのよい粘性と、伸びのよいペースト性を示す製品を、得ることは出来なかった。
【０００７】
ハイメトキシルのペクチンの性状として、糖・ペクチン・酸の存在がゲル化の三大要件であり、中性の蜂蜜はペクチンのみではゲル化させることは困難であり、ジャム状にはならないと考えられ寒天やカラギーナンなどの天然粘質物が添加されてきたと考えられるが、この糖・ペクチン・酸の三大要素のみで製造することを目的としたものである。  
【０００８】
ローメトキシルのペクチンを用いても製造は可能であるが、この場合は酸に変わり、カルシウムなどのアルカリ塩を要し、化学添加剤や、添加物を要することから研究課題から除いて開発を進めることにした。
【課題を解決するための手段】
【０００９】
本発明は本来ジャムとして認められる物性は矢張りペクチン単独で得られるものであり、その機能を生かし、伸展性があり、切れがよい粘性を持ち、ゼリー状製品を得るべく研究を重ね、柑橘類の果汁を少量加えることにより、蜂蜜本来の甘味を損なうことなく、酸味も感じない、本来の機能の性状を保つ製品を得る事を見出した。
【００１０】
ペクチンは溶解作業においてだまになりやすく、一般的に砂糖などの粉体に分散させた後溶解されるが、蜂蜜以外の糖質は使用しないものという観点から少量の蜂蜜に分散させ、少量の水にて溶解して利用することにより使用可能とする。  
【００１１】
本発明は果汁により酸の必要量を確保するという単純な操作ではあるが、柑橘類の種類を変え、添加量を変えることによって、様々の好みのものを作りうるが、酸味も何も感じない、蜂蜜そのものの味覚あるジャム状の蜂蜜を製造できるという特徴を持つ。
【発明の効果】
【００１２】
本来、蜂蜜は健康的に優れた糖質であり、健康維持のためには貴重な糖質ではあるが
その粘性ゆえに取り出しの不便さ、使用した製品上での流出、子供などに与えたときの保持姓のなさによるトラブルなどがあるが、この様な障害を取り去り、蜂蜜本来の味覚と満足感を与えながら、作業性もよく清潔に取り扱うことが可能となり、家庭においても職場においても、たやすく扱える製品を得ることが出来る。
【発明を実施するための最良の形態】
【００１３】
本発明による製品は糖質としての蜂蜜の量、ペクチン量、酸としての果汁量によって様々の硬さ伸展性等、異なった製品を得ることが出来るが、家庭用としては匙ですくったときに固形として保ち簡単に伸ばすことが出来、かつ流れないだけの粘性を持つジャム状の製品であり、業務用としては同じく伸展製のもの及び固くゼリー状になり型を保ち飾りなどにも使用できる形態のものを得ることが可能であり、料理に使用するソース状のものも作成可能である。
【実施例】
【００１４】
ペクチン１ｇを１０ｇの蜂蜜に分散させて後、水５０ｇを加え９０度まで加熱昇温
して完全に溶解し、蜂蜜を１００ｇ加え加熱し９０度で加熱を停止してレモン生果汁を５cc加え均一になるよう速やかに撹拌し容器に充填、１４０ｇの製品を得た、後、室温にて冷却し、２４時間後伸展性と適度の粘性を持つジャム状のゲル化蜂蜜を得た
【００１５】
ペクチン５ｇを２５ｇの蜂蜜にて分散させ、水７０ccを加え９０度まで加熱昇温して完全に溶解し、蜂蜜を１５０ｇ加え９０度まで加熱し、レモン生果汁７ccを加え型に流し込み冷却したところ、成形性のよい固いゼリー状のゲル化蜂蜜を得た。
【産業上の利用可能性】
【００１６】
蜂蜜は他の糖質にない甘味と風味を有し、栄養的価値も高いものではあるが、その粘性と流動性によって使用範囲が限られており、ホットケーキのトッピング剤など特別なものにしか使用されていないが、ジャム状にしたことで製菓領域において幅広く使用することが可能であり、家庭においても、流下によるトラブルを防止することが出来るため、小さな子供たちにもたやすく与えることが出来、消費が増大することが見込まれ、蜂蜜業界の販路拡大・発展に寄与するものと思考する。